(57)【要約】【課題】センサネットワークシステムを維持・保守するサービスを提供可能なセンサネットワークシステムの維持・保守サービスシステム、センサノード、無線アクセスポイント装置及び運用監視サーバの提供。【解決手段】センサネットワークシステムの維持・保守サービスシステムＳは、顧客先１に設置された複数のセンサノード１１，無線ＡＰ装置１２及び業務サーバ１３から構成されるセンサネットワークシステム１０とポリシ統制サーバ１４とサービスセンタ２に設置された運用監視サーバ２０とを具備する。ポリシ統制サーバ１４で運用ポリシの設計・変更を行うと、センサネットワークシステム１０の複数のセンサノード１１及び無線ＡＰ装置１２の設定を一括変更することができる。【選択図】図１
2007184701.tif 000002
【特許請求の範囲】
【請求項１】
顧客先に設置され、複数のセンサノード，前記複数のセンサノードと無線通信可能な無線アクセスポイント装置及び前記無線アクセスポイント装置をＬＡＮ接続する業務サーバから構成されるセンサネットワークシステムと、前記センサネットワークシステムの業務サーバにＬＡＮ接続したポリシ統制サーバと、サービスセンタに設置され、前記業務サーバ及び前記ポリシ統制サーバとネットワークを介して接続される運用監視サーバとを具備し、前記センサネットワークシステムの維持・保守サービスを行うシステムであって、
前記複数のセンサノードは、前記無線アクセスポイント装置と送受信する手段と、前記無線アクセスポイント装置から受け取った業務運用を行うための運用ポリシに基づいて設定を行う手段とを備え、業務データを送信し、運用ポリシを受信し、前記無線アクセスポイント装置は、前記複数のセンサノードと送受信する手段と、前記複数のセンサノードから収集した業務データを前記業務サーバに送る手段と、前記業務サーバから受け取った運用ポリシに基づいて設定を行う手段とを備え、前記業務サーバは、前記無線アクセスポイント装置から業務データを取得する手段と、取得した業務データを処理する手段と、前記ポリシ統制サーバから受け取った運用ポリシを設定する手段とを備え、前記ポリシ統制サーバは、設計・変更される運用ポリシを記憶する手段を備え、前記運用監視サーバは、前記ポリシ統制サーバから受け取った運用ポリシを基に前記センサネットワークシステムを監視する運用監視ポリシの設定を行う手段を備えたことを特徴とするセンサネットワークシステムの維持・保守サービスシステム。
【請求項２】
上記複数のセンサノードは、上記無線アクセスポイント装置との通信開始時に、前記無線アクセスポイント装置から運用ポリシのバージョンを取得する手段と、前記無線アクセスポイント装置に対して取得した運用ポリシのバージョンが最新であるかの確認を行う手段と、運用ポリシのバージョンが最新でない場合、最新の運用ポリシをダウンロードする手段と、ダウンロードした最新の運用ポリシに基づいて設定を変更する手段とを備え、前記無線アクセスポイント装置は、前記複数のセンサノードとの通信開始時に、上記業務サーバから運用ポリシのバージョンを取得する手段と、前記業務サーバに対して取得した運用ポリシのバージョンが最新であるかの確認を行う手段と、運用ポリシのバージョンが最新でない場合、最新の運用ポリシのダウンロードを前記ポリシ統制サーバに要求する手段と、前記ポリシ統制サーバから最新の運用ポリシをダウンロードする手段と、ダウンロードした最新の運用ポリシに基づいて設定を変更する手段とを備え、前記業務サーバは、前記ポリシ統制サーバから運用ポリシのバージョンを定期的に取得する手段と、前記ポリシ統制サーバに対して取得した運用ポリシのバージョンが最新であるかの確認を行う手段と、運用ポリシのバージョンが最新でない場合、最新の運用ポリシのダウンロードを前記ポリシ統制サーバに要求する手段と、前記ポリシ統制サーバから最新の運用ポリシをダウンロードする手段と、ダウンロードした最新の運用ポリシを設定する手段とを備え、前記ポリシ統制サーバは、設定・変更した最新の運用ポリシを記憶する手段と、最新の運用ポリシのバージョンを管理する手段とを備え、上記運用監視サーバは、前記業務サーバから運用ポリシのバージョンを取得する手段と、前記業務サーバに対して取得した運用ポリシのバージョンが最新であるかの確認を行う手段と、運用ポリシのバージョンが最新でない場合、最新の運用ポリシのダウンロードを前記ポリシ統制サーバに要求する手段と、前記ポリシ統制サーバから最新の運用ポリシをダウンロードする手段と、ダウンロードした最新の運用ポリシを基に運用監視ポリシの設定を変更する手段とを備えている請求項１に記載のセンサネットワークシステムの維持・保守サービスシステム。
【請求項３】
上記複数のセンサノードは、上記無線アクセスポイント装置から受け取った運用ポリシに基づいて初期設定を行う手段を備え、前記無線アクセスポイント装置は、前記複数のセンサノードとの電波状態が繋がった時に、運用ポリシをダウンロードする手段と、ダウンロードした運用ポリシに基づいて初期設定を行う手段とを備え、ダウンロードした運用ポリシを転送する請求項１に記載のセンサネットワークシステムの維持・保守サービスシステム。
【請求項４】
顧客先に設置されたセンサネットワークシステムの無線アクセスポイント装置と無線通信可能で、前記無線アクセスポイント装置と送受信する手段と、前記無線アクセスポイント装置から受け取った業務運用を行うための運用ポリシに基づいて設定を行う手段とを備え、業務データを送信し、運用ポリシを受信することを特徴とするセンサノード。
【請求項５】
顧客先に設置されたセンサネットワークシステムの複数のセンサノードと無線通信可能で、業務サーバ及びポリシ統制サーバとＬＡＮ接続され、前記複数のセンサノードと送受信する手段と、前記複数のセンサノードから収集した業務データを前記業務サーバに送る手段と、前記業務サーバから受け取った運用ポリシに基づいて設定を行う手段とを備えたことを特徴とする無線アクセスポイント装置。
【請求項６】
サービスセンタに設置され、顧客先のセンサネットワークシステムの業務サーバ及びポリシ統制サーバとネットワークを介して接続され、前記ポリシ統制サーバから受け取った運用ポリシを基に前記センサネットワークシステムを監視する運用監視ポリシの設定を行う手段を備えたことを特徴とする運用監視サーバ。
【発明の詳細な説明】
【技術分野】
【０００１】
本発明は、お客様先（顧客先）の複数のセンサノード，無線アクセスポイント装置，業務サーバなどの多数の構成品からなるセンサネットワークシステムの維持・保守サービスを行うセンサネットワークシステムの維持・保守サービスシステム、センサノード、無線アクセスポイント装置及び運用監視サーバに関するものである。
【背景技術】
【０００２】
センサネットワークは、数多くの構成品からなり、運用のやり方（運用ポリシ）の変更などにより、設定の変更を全ての構成品に対して行うのは、多大な工数を要した。
【０００３】
また、センサノードは、移動する場合や、電波状態が環境により変わる場合などがあり、同時に配信するのは難しかった。
【発明の開示】
【発明が解決しようとする課題】
【０００４】
しかし、設定が異なる構成品がネットワーク上にある場合は、正しい業務ができず、全ての設定を同時に変える必要があり、課題であった。
【０００５】
そこで、本発明の目的は、上記の事情に鑑みてなされたものであって、ポリシ統制サーバで運用ポリシの設計・変更を行うと、業務サーバがポリシ統制サーバから受け取った運用ポリシを設定し、無線アクセスポイント装置が業務サーバから受け取った運用ポリシに基づいて設定を行い、複数のセンサノードが無線アクセスポイント装置から受け取った運用ポリシに基づいて設定を行うので、顧客先のセンサネットワークシステムの複数のセンサノード及び無線アクセス装置の設定を１台ずつ変更する必要がなく、複数のセンサノード及び無線アクセス装置の設定を一括変更することができ、多大な工数を要さず、しかも、サービスセンタの運用監視サーバが顧客先のポリシ統制サーバから受け取った運用ポリシを基にセンサネットワークシステムを監視する運用監視ポリシの設定を行うので、サービスセンタの監視者に運用ポリシの設計・変更を知らせる必要がなく、顧客先のセンサネットワークシステムを維持・保守する迅速なサービスの提供を行うことが可能なセンサネットワークシステムの維持・保守サービスシステム、センサノード、無線アクセスポイント装置及び運用監視サーバを提供することにある。
【課題を解決するための手段】
【０００６】
本発明のセンサネットワークシステムの維持・保守サービスシステムは、顧客先に設置され、複数のセンサノード，前記複数のセンサノードと無線通信可能な無線アクセスポイント装置及び前記無線アクセスポイント装置をＬＡＮ接続する業務サーバから構成されるセンサネットワークシステムと、前記センサネットワークシステムの業務サーバにＬＡＮ接続したポリシ統制サーバと、サービスセンタに設置され、前記業務サーバ及び前記ポリシ統制サーバとネットワークを介して接続される運用監視サーバとを具備し、前記センサネットワークシステムの維持・保守サービスを行うシステムであって、前記複数のセンサノードが、前記無線アクセスポイント装置と送受信する手段と、前記無線アクセスポイント装置から受け取った業務運用を行うための運用ポリシに基づいて設定を行う手段とを備え、業務データを送信し、運用ポリシを受信し、前記無線アクセスポイント装置が、前記複数のセンサノードと送受信する手段と、前記複数のセンサノードから収集した業務データを前記業務サーバに送る手段と、前記業務サーバから受け取った運用ポリシに基づいて設定を行う手段とを備え、前記業務サーバが、前記無線アクセスポイント装置から業務データを取得する手段と、取得した業務データを処理する手段と、前記ポリシ統制サーバから受け取った運用ポリシを設定する手段とを備え、前記ポリシ統制サーバが、設計・変更される運用ポリシを記憶する手段を備え、前記運用監視サーバが、前記ポリシ統制サーバから受け取った運用ポリシを基に前記センサネットワークシステムを監視する運用監視ポリシの設定を行う手段を備えたことを特徴とする構成を有するものである。
【０００７】
本発明のセンサネットワークシステムの維持・保守サービスシステムは、上記複数のセンサノードが、上記無線アクセスポイント装置との通信開始時に、前記無線アクセスポイント装置から運用ポリシのバージョンを取得する手段と、前記無線アクセスポイント装置に対して取得した運用ポリシのバージョンが最新であるかの確認を行う手段と、運用ポリシのバージョンが最新でない場合、最新の運用ポリシをダウンロードする手段と、ダウンロードした最新の運用ポリシに基づいて設定を変更する手段とを備え、前記無線アクセスポイント装置が、前記複数のセンサノードとの通信開始時に、上記業務サーバから運用ポリシのバージョンを取得する手段と、前記業務サーバに対して取得した運用ポリシのバージョンが最新であるかの確認を行う手段と、運用ポリシのバージョンが最新でない場合、最新の運用ポリシのダウンロードを前記ポリシ統制サーバに要求する手段と、前記ポリシ統制サーバから最新の運用ポリシをダウンロードする手段と、ダウンロードした最新の運用ポリシに基づいて設定を変更する手段とを備え、前記業務サーバが、前記ポリシ統制サーバから運用ポリシのバージョンを定期的に取得する手段と、前記ポリシ統制サーバに対して取得した運用ポリシのバージョンが最新であるかの確認を行う手段と、運用ポリシのバージョンが最新でない場合、最新の運用ポリシのダウンロードを前記ポリシ統制サーバに要求する手段と、前記ポリシ統制サーバから最新の運用ポリシをダウンロードする手段と、ダウンロードした最新の運用ポリシを設定する手段とを備え、前記ポリシ統制サーバが、設定・変更した最新の運用ポリシを記憶する手段と、最新の運用ポリシのバージョンを管理する手段とを備え、上記運用監視サーバが、前記業務サーバから運用ポリシのバージョンを取得する手段と、前記業務サーバに対して取得した運用ポリシのバージョンが最新であるかの確認を行う手段と、運用ポリシのバージョンが最新でない場合、最新の運用ポリシのダウンロードを前記ポリシ統制サーバに要求する手段と、前記ポリシ統制サーバから最新の運用ポリシをダウンロードする手段と、ダウンロードした最新の運用ポリシを基に運用監視ポリシの設定を変更する手段とを備えている。
【０００８】
本発明のセンサネットワークシステムの維持・保守サービスシステムは、上記複数のセンサノードが、上記無線アクセスポイント装置から受け取った運用ポリシに基づいて初期設定を行う手段を備え、前記無線アクセスポイント装置が、前記複数のセンサノードとの電波状態が繋がった時に、運用ポリシをダウンロードする手段と、ダウンロードした運用ポリシに基づいて初期設定を行う手段とを備え、ダウンロードした運用ポリシを転送するようになっている。
【０００９】
本発明のセンサノードは、顧客先に設置されたセンサネットワークシステムの無線アクセスポイント装置と無線通信可能で、前記無線アクセスポイント装置と送受信する手段と、前記無線アクセスポイント装置から受け取った業務運用を行うための運用ポリシに基づいて設定を行う手段とを備え、業務データを送信し、運用ポリシを受信することを特徴とする構成を有するものである。
【００１０】
本発明の無線アクセスポイント装置は、顧客先に設置されたセンサネットワークシステムの複数のセンサノードと無線通信可能で、業務サーバ及びポリシ統制サーバとＬＡＮ接続され、前記複数のセンサノードと送受信する手段と、前記複数のセンサノードから収集した業務データを前記業務サーバに送る手段と、前記業務サーバから受け取った運用ポリシに基づいて設定を行う手段とを備えたことを特徴とする構成を有するものである。
【００１１】
本発明の運用監視サーバは、サービスセンタに設置され、顧客先のセンサネットワークシステムの業務サーバ及びポリシ統制サーバとネットワークを介して接続され、前記ポリシ統制サーバから受け取った運用ポリシを基に前記センサネットワークシステムを監視する運用監視ポリシの設定を行う手段を備えたことを特徴とする構成を有するものである。
【発明の効果】
【００１２】
以上に述べたように、本発明によれば、ポリシ統制サーバで運用ポリシの設計・変更を行うと、業務サーバがポリシ統制サーバから受け取った運用ポリシを設定し、無線アクセスポイント装置が業務サーバから受け取った運用ポリシに基づいて設定を行い、複数のセンサノードが無線アクセスポイント装置から受け取った運用ポリシに基づいて設定を行うので、顧客先のセンサネットワークシステムの複数のセンサノード及び無線アクセス装置の設定を１台ずつ変更する必要がなく、複数のセンサノード及び無線アクセス装置の設定を一括変更することができ、多大な工数を要さず、しかも、サービスセンタの運用監視サーバが顧客先のポリシ統制サーバから受け取った運用ポリシを基にセンサネットワークシステムを監視する運用監視ポリシの設定を行うので、サービスセンタの監視者に運用ポリシの設計・変更を知らせる必要がなく、顧客先のセンサネットワークシステムを維持・保守する迅速なサービスの提供を行うことが可能なセンサネットワークシステムの維持・保守サービスシステム、センサノード、無線アクセスポイント装置及び運用監視サーバを得ることができる。
【発明を実施するための最良の形態】
【００１３】
以下、本発明を実施するための最良の形態を図面を参照して詳細に説明する。
【実施例】
【００１４】
本発明のセンサネットワークシステムの維持・保守サービスシステムＳは、顧客先１に設置され、複数のセンサノード１１，複数のセンサノード１１と無線通信可能な無線アクセスポイント装置１２及び無線アクセスポイント装置１２をＬＡＮ接続する業務サーバ１３から構成されるセンサネットワークシステム１０と、センサネットワークシステム１０の業務サーバ１３にＬＡＮ接続したポリシ統制サーバ１４と、サービスセンタ２に設置され、業務サーバ１３及びポリシ統制サーバ１４とネットワーク３を介して接続される運用監視サーバ２０とを具備し、センサネットワークシステム１０の維持・保守サービスを行うシステムである。
【００１５】
本発明のセンサネットワークシステムの維持・保守サービスシステムＳは、複数のセンサノード１１が、無線アクセスポイント装置１２と送受信する手段と、無線アクセスポイント装置１２から受け取った業務運用を行うための運用ポリシに基づいて設定を行う手段とを備えている。
【００１６】
本発明のセンサネットワークシステムの維持・保守サービスシステムＳは、複数のセンサノード１１が、業務データを送信し、運用ポリシを受信するようになっている。
【００１７】
本発明のセンサネットワークシステムの維持・保守サービスシステムＳは、無線アクセスポイント装置１２が、複数のセンサノード１１と送受信する手段と、複数のセンサノード１１から収集した業務データを業務サーバ１３に送る手段と、業務サーバ１３から受け取った運用ポリシに基づいて設定を行う手段とを備えている。
【００１８】
本発明のセンサネットワークシステムの維持・保守サービスシステムＳは、業務サーバ１３が、無線アクセスポイント装置１２から業務データを取得する手段と、取得した業務データを処理する手段と、ポリシ統制サーバ１４から受け取った運用ポリシを設定する手段とを備えている。
【００１９】
本発明のセンサネットワークシステムの維持・保守サービスシステムＳは、ポリシ統制サーバ１４が、設計・変更される運用ポリシを記憶する手段を備えている。
【００２０】
本発明のセンサネットワークシステムの維持・保守サービスシステムＳは、運用監視サーバ２０が、ポリシ統制サーバ１４から受け取った運用ポリシを基にセンサネットワークシステム１０を監視する運用監視ポリシの設定を行う手段を備えている。
【００２１】
本発明のセンサネットワークシステムの維持・保守サービスシステムＳは、複数のセンサノード１１が、無線アクセスポイント装置１２との通信開始時に、無線アクセスポイント装置１２から運用ポリシのバージョンを取得する手段と、無線アクセスポイント装置１２に対して取得した運用ポリシのバージョンが最新であるかの確認を行う手段と、運用ポリシのバージョンが最新でない場合、最新の運用ポリシをダウンロードする手段と、ダウンロードした最新の運用ポリシに基づいて設定を変更する手段とを備えている。
【００２２】
本発明のセンサネットワークシステムの維持・保守サービスシステムＳは、無線アクセスポイント装置１２が、複数のセンサノード１１との通信開始時に、業務サーバ１３から運用ポリシのバージョンを取得する手段と、業務サーバ１３に対して取得した運用ポリシのバージョンが最新であるかの確認を行う手段と、運用ポリシのバージョンが最新でない場合、最新の運用ポリシのダウンロードをポリシ統制サーバ１４に要求する手段と、ポリシ統制サーバ１４から最新の運用ポリシをダウンロードする手段と、ダウンロードした最新の運用ポリシに基づいて設定を変更する手段とを備えている。
【００２３】
本発明のセンサネットワークシステムの維持・保守サービスシステムＳは、業務サーバ１３が、ポリシ統制サーバ１４から運用ポリシのバージョンを定期的に取得する手段と、ポリシ統制サーバ１４に対して取得した運用ポリシのバージョンが最新であるかの確認を行う手段と、運用ポリシのバージョンが最新でない場合、最新の運用ポリシのダウンロードをポリシ統制サーバ１４に要求する手段と、ポリシ統制サーバ１４から最新の運用ポリシをダウンロードする手段と、ダウンロードした最新の運用ポリシを設定する手段とを備えている。
【００２４】
本発明のセンサネットワークシステムの維持・保守サービスシステムＳは、ポリシ統制サーバ１４が、設定・変更した最新の運用ポリシを記憶する手段と、最新の運用ポリシのバージョンを管理する手段とを備えている。
【００２５】
本発明のセンサネットワークシステムの維持・保守サービスシステムＳは、運用監視サーバ２０が、業務サーバ１３から運用ポリシのバージョンを取得する手段と、業務サーバ１３に対して取得した運用ポリシのバージョンが最新であるかの確認を行う手段と、運用ポリシのバージョンが最新でない場合、最新の運用ポリシのダウンロードをポリシ統制サーバ１４に要求する手段と、ポリシ統制サーバ１４から最新の運用ポリシをダウンロードする手段と、ダウンロードした最新の運用ポリシを基に運用監視ポリシの設定を変更する手段とを備えている。
【００２６】
本発明のセンサネットワークシステムの維持・保守サービスシステムＳは、複数のセンサノード１１が、無線アクセスポイント装置１２から受け取った運用ポリシに基づいて初期設定を行う手段を備えている。
【００２７】
本発明のセンサネットワークシステムの維持・保守サービスシステムＳは、無線アクセスポイント装置１２が、複数のセンサノード１１との電波状態が繋がった時に、運用ポリシをダウンロードする手段と、ダウンロードした運用ポリシに基づいて初期設定を行う手段とを備えている。
【００２８】
本発明のセンサネットワークシステムの維持・保守サービスシステムＳは、無線アクセスポイント装置１２が、ダウンロードした運用ポリシを転送するようになっている。
【００２９】
本発明のセンサノードは、顧客先１に設置されたセンサネットワークシステム１０の無線アクセスポイント装置１２と無線通信可能である。
【００３０】
本発明のセンサノードは、無線アクセスポイント装置１２と送受信する手段と、無線アクセスポイント装置１２から受け取った業務運用を行うための運用ポリシに基づいて設定を行う手段とを備えている。
【００３１】
本発明のセンサノードは、業務データを送信し、運用ポリシを受信するようになっている。
【００３２】
本発明の無線アクセスポイント装置は、顧客先１に設置されたセンサネットワークシステム１０の複数のセンサノード１１と無線通信可能で、業務サーバ１３及びポリシ統制サーバ１４とＬＡＮ接続されている。
【００３３】
本発明の無線アクセスポイント装置は、複数のセンサノード１１と送受信する手段と、複数のセンサノード１１から収集した業務データを業務サーバ１３に送る手段と、業務サーバ１３から受け取った運用ポリシに基づいて設定を行う手段とを備えている。
【００３４】
本発明の運用監視サーバは、サービスセンタ２に設置され、顧客先１のセンサネットワークシステム１０の業務サーバ１３及びポリシ統制サーバ１４とネットワーク３を介して接続されている。
【００３５】
本発明の運用監視サーバは、ポリシ統制サーバ１４から受け取った運用ポリシを基にセンサネットワークシステム１０を監視する運用監視ポリシの設定を行う手段を備えている。
【００３６】
図１は、本発明の実施例に係るセンサネットワークシステムの維持・保守サービスシステムを示すシステム構成図である。
センサネットワークシステムの維持・保守サービスシステムＳは、図１に示すように、顧客先１の屋内／屋外に設置されたセンサネットワークシステム１０と、顧客先１の屋内／屋外に設置されたポリシ統制サーバ１４と、サービスセンタ２に設置された運用監視サーバ２０とを具備している。
【００３７】
センサネットワークシステム１０は、複数のセンサノード１１，無線アクセスポイント（Ａｃｃｅｓｓ  Ｐｏｉｎｔ；ＡＰ）装置１２及び業務サーバ１３から構成されている。
【００３８】
顧客先１の屋内／屋外には、図１に示すように、複数のセンサノード１１と無線アクセスポイント装置１２と業務サーバ１３とポリシ統制サーバ１４とルータ１５が設置されている。
【００３９】
無線アクセスポイント装置１２と業務サーバ１３とは、ＬＡＮ（Ｌｏｃａｌ  Ａｒｅａ  Ｎｅｔｗｏｒｋ）１６でネットワーク接続されている。
【００４０】
業務サーバ１３とポリシ統制サーバ１４とは、ＬＡＮ１６でネットワーク接続されている。
【００４１】
業務サーバ１３及びポリシ統制サーバ１４は、ルータ１５を介して公衆網／インターネット等のネットワーク３に接続されている。
【００４２】
複数のセンサノード１１は、設定ファイル１１ａをそれぞれ有している。
【００４３】
無線アクセスポイント装置１２は、設定ファイル１２ａを有している。
【００４４】
業務サーバ１３は、運用ポリシファイル１３ａを有している。
【００４５】
ポリシ統制サーバ１４は、運用ポリシファイル１４ａと運用ポリシのバージョンを管理するバージョン管理部１４ｂとを有している。
【００４６】
保守作業員５は、顧客先１のポリシ統制サーバ１４で運用ポリシの設定・変更を行うようになっている。
【００４７】
サービスセンタ２内には、図１に示すように、運用監視サーバ２０とルータ２１が設置されている。
【００４８】
運用監視サーバ２０は、ルータ２１を介して公衆網／インターネット等のネットワーク３に接続されている。
【００４９】
顧客先１の業務サーバ１３及びポリシ統制サーバ１４とサービスセンタ２の運用監視サーバ２０とは、ネットワーク３で接続されている。
【００５０】
運用監視サーバ２０は、運用監視ポリシファイル２０ａを有している。
【００５１】
サービスセンタ２の監視員２２は、運用監視サーバ２０で顧客先１のセンサネットワークシステム１０の監視を行う。
【００５２】
本発明のシステムの構成と機能は、以下の通りである。
顧客先（お客様先）１のセンサネットワークシステム１０は、複数のセンサノード１１、無線アクセスポイント（ＡＰ）装置１２、各センサノード１１から収集した業務データ（温度，湿度など）を処理する業務サーバ１３から構成される。
【００５３】
また、これらのセンサネットワークシステム１０が、問題なく運用されているか、問題などが起こったときに、運用を代行するサービスを提供する運用監視サーバ２０がセンサネットワークシステム１０に接続されている。
【００５４】
上記センサネットワークシステム１０の各機器には、業務運用を行うための運用ポリシ（運用の基本方針）に基づいて、それぞれ設定が行われているが、この運用ポリシを変更・設定するためにポリシ統制サーバ１４がある。
【００５５】
顧客先１のセンサネットワークシステム１０の各機器及びサービスセンタ２の運用監視サーバ２０は、業務データの送受信を行う前のセッション確立するときに、常にネットワーク上の上位装置に運用ポリシのバージョンが最新であることを確認し、運用ポリシのバージョンが最新であれば、業務データの送受信を開始する。
【００５６】
もし、運用ポリシのバージョンが古かった（最新でなかった）場合は、ポリシ統制サーバ１４から最新の運用ポリシをダウンロードしてから、再度セッションの確立処理を行い、業務データの送受信を開始する。
【００５７】
顧客先１のセンサネットワークシステム１０の業務サーバ１３の運用ポリシとサービス提供元であるサービスセンタ２の運用監視サーバ２０の運用監視ポリシを統制して変更管理することが可能である。
【００５８】
また、電波状態不良や電源ＯＦＦなどが原因で、センサネットワークシステム１０の構成機器内に運用ポリシの設定が不一致の機器があっても、設定を更新して、運用継続が可能である。
【００５９】
さらに、センサネットワークシステム１０の初期設定も、電波状態が繋がったときに、運用ポリシがダウンロードされるため、容易にネットワークの構築もできるようになった。
【００６０】
図２は、本発明の実施例に係るセンサネットワークシステムの維持・保守サービスシステムにおける処理の流れを説明するフローチャート図である。
ステップＳ１００でスタートした処理は、まず、保守作業員５が顧客先１のポリシ統制サーバ１４の運用ポリシを設定・変更する（ステップＳ１０１）。
【００６１】
次いで、顧客先１の業務サーバ１３がポリシ統制サーバ１４から運用ポリシのバージョンを定期的に取得し、業務サーバ１３がポリシ統制サーバ１４に対して取得した運用ポリシのバージョンが最新であるかの確認を行い、運用ポリシのバージョンが古ければ（最新でなければ）、業務サーバ１３が最新の運用ポリシのダウンロードをポリシ統制サーバ１４に要求し、業務サーバ１３がポリシ統制サーバ１４から最新の運用ポリシをダウンロードし（ステップＳ１０２）、業務サーバ１３がダウンロードした最新の運用ポリシを設定する。
【００６２】
次いで、サービスセンタ２の運用監視サーバ２０が通信開始時に業務サーバ１３から運用ポリシのバージョンを取得し、運用監視サーバ２０が業務サーバ１３に対して取得した運用ポリシのバージョンが最新であるかの確認を行い、運用ポリシのバージョンが古ければ、運用監視サーバ２０が最新の運用ポリシのダウンロードをポリシ統制サーバ１４に要求し、運用監視サーバ２０がポリシ統制サーバ１４から最新の運用ポリシをダウンロードし（ステップＳ１０３）、運用監視サーバ２０がダウンロードした最新の運用ポリシを基に運用監視ポリシの設定を変更する。
【００６３】
次いで、顧客先１の無線アクセスポイント装置１２が通信開始時に業務サーバ１３から運用ポリシのバージョンを取得し、無線アクセスポイント装置１２が業務サーバ１３に対して取得した運用ポリシのバージョンが最新であるかの確認を行い、運用ポリシのバージョンが古ければ、無線アクセスポイント装置１２が最新の運用ポリシのダウンロードをポリシ統制サーバ１４に要求し、無線アクセスポイント装置１２がポリシ統制サーバ１４から最新の運用ポリシをダウンロードし（ステップＳ１０４）、無線アクセスポイント装置１２がダウンロードした最新の運用ポリシに基づいて設定を変更する。
【００６４】
その後、顧客先１の複数のセンサノード１１が通信開始時に無線アクセスポイント装置１２から運用ポリシのバージョンを取得し、複数のセンサノード１１が無線アクセスポイント装置１２に対して取得した運用ポリシのバージョンが最新であるかの確認を行い、運用ポリシのバージョンが古ければ、複数のセンサノード１１が無線アクセスポイント装置１２を経由してポリシ統制サーバ１４から最新の運用ポリシをダウンロードし（ステップＳ１０５）、複数のセンサノード１１がダウンロードした最新の運用ポリシに基づいて設定を変更する。
【図面の簡単な説明】
【００６５】
【図１】本発明の実施例に係るセンサネットワークシステムの維持・保守サービスシステムを示すシステム構成図。
【図２】本発明の実施例に係るセンサネットワークシステムの維持・保守サービスシステムにおける処理の流れを説明するフローチャート図。
【符号の説明】
【００６６】
１  顧客先
２  サービスセンタ
３  ネットワーク
５  保守作業員
１０  センサネットワークシステム
１１  センサノード
１１ａ  設定ファイル
１２  無線アクセスポイント装置
１２ａ  設定ファイル
１３  業務サーバ
１３ａ  運用ポリシファイル
１４  ポリシ統制サーバ
１４ａ  運用ポリシファイル
１４ｂ  バージョン管理部
１５  ルータ
１６  ＬＡＮ
２０  運用監視サーバ
２０ａ  運用監視ポリシファイル
２１  ルータ
２２  監視員
Ｓ  センサネットワークシステムの維持・保守サービスシステム
【図１】
2007184701.tif 000003
【図２】
2007184701.tif 000004